(57)【要約】【課題】異常が発生した際の処理に関して、改善された、発電装置、制御装置及び制御プログラムを提供する。【解決手段】発電装置は、燃料電池と、通信部と、通信部によって内部機器又は外部機器と通信可能な制御部と、パワーコンディショナとを備える。パワーコンディショナは、燃料電池が発電した直流電力の少なくとも一部を交流電力に変換して発電装置の外部に供給する。制御部は、通信に関する異常が発生したと判定すると、パワーコンディショナから外部への電力供給を停止させるが、燃料電池を発電状態に維持するように制御する。【選択図】図１
2019046572.tif 000002
【特許請求の範囲】
【請求項１】
発電装置であって、
燃料電池と、
通信部と、
前記通信部によって内部機器又は外部機器と通信可能な制御部と、
前記燃料電池が発電した直流電力の少なくとも一部を交流電力に変換して前記発電装置の外部に供給するパワーコンディショナと、を備え、
前記制御部は、通信に関する異常が発生したと判定すると、前記パワーコンディショナから前記外部への電力供給を停止させるが、前記燃料電池を発電状態に維持するように制御する、発電装置。
【請求項２】
請求項１に記載の発電装置であって、
前記燃料電池の周辺機器である補機をさらに備え、
前記制御部は、前記通信に関する異常が発生したと判定したときも、前記補機の一部を、前記燃料電池が発電した電力によって駆動させ続ける、発電装置。
【請求項３】
請求項１又は２に記載の発電装置であって、
前記制御部は、前記パワーコンディショナとの間の通信が途絶えたと判定したとき、前記通信に関する異常が発生したと判定する、発電装置。
【請求項４】
請求項３に記載の発電装置であって、
前記制御部は、前記通信部によって前記パワーコンディショナに定期的に要求を送信し、
前記制御部は、前記定期的に送信する要求に対して、前記パワーコンディショナからの応答が所定回数連続してないとき、前記パワーコンディショナとの間の通信が途絶えたと判定する、発電装置。
【請求項５】
請求項３に記載の発電装置であって、
前記パワーコンディショナは、定期的に、所定情報を前記制御部に送信し、
前記制御部は、第１時間内に、前記通信部によって前記パワーコンディショナから前記所定情報を受信しないとき、前記パワーコンディショナとの通信が途絶えたと判定する、発電装置。
【請求項６】
請求項１から５の何れか一項に記載の発電装置であって、
前記制御部は、外部機器との通信が途絶えたと判定したとき、前記通信に関する異常が発生したと判定する、発電装置。
【請求項７】
請求項６に記載の発電装置であって、
前記外部機器は、前記発電装置に定期的に要求を送信するリモコンであり、
前記制御部は、第２時間内に、前記通信部によって前記リモコンから前記要求を受信しないとき、前記通信に関する異常が発生したと判定する、発電装置。
【請求項８】
請求項１から７の何れか一項に記載の発電装置であって、
前記制御部は、前記パワーコンディショナから外部への電力供給を停止させるが、前記燃料電池を発電状態に維持するように制御した後、所定時間経過する前に、前記通信に関する異常が解消したと判定したとき、前記パワーコンディショナから外部への電力供給を再開するように制御する、発電装置。
【請求項９】
請求項１から８の何れか一項に記載の発電装置であって、
前記制御部は、前記パワーコンディショナから外部への電力供給を停止させるが、前記燃料電池を発電状態に維持するように制御した後、所定時間内に、前記通信に関する異常が解消したと判定しないとき、前記燃料電池の発電を停止させる、発電装置。
【請求項１０】
燃料電池と、
通信部と、
前記通信部によって内部機器又は外部機器と通信可能な制御部と、
前記燃料電池が発電した直流電力の少なくとも一部を交流電力に変換して外部に供給するパワーコンディショナと、を備え、
前記パワーコンディショナは、前記通信部との間の通信が途絶えたと判定すると、前記パワーコンディショナから外部への電力供給を停止させるが、前記燃料電池を発電状態に維持するように制御する、発電装置。
【請求項１１】
燃料電池と、
前記燃料電池が発電した直流電力の少なくとも一部を交流電力に変換して外部に供給するパワーコンディショナと、を備える発電装置を制御する制御装置であって、
前記パワーコンディショナとの間の通信が途絶えたと判定すると、前記パワーコンディショナから外部への電力供給を停止させるが、前記燃料電池を発電状態に維持するように制御する、制御装置。
【請求項１２】
燃料電池と、
前記燃料電池が発電した直流電力の少なくとも一部を交流電力に変換して外部に供給するパワーコンディショナと、を備える発電装置を制御する制御装置に、
前記パワーコンディショナとの間の通信が途絶えたか否か判定するステップと、
前記パワーコンディショナとの間の通信が途絶えたと判定すると、前記パワーコンディショナから外部への電力供給を停止させるが、前記燃料電池を発電状態に維持するように制御するステップと、
を実行させる、制御プログラム。
【発明の詳細な説明】
【技術分野】
【０００１】
本開示は、発電装置、制御装置及び制御プログラムに関する。より詳細には、本開示は、燃料電池を備える発電装置、燃料電池を備える発電装置の制御装置、及び、このような装置に実行させる制御プログラムに関する。
【背景技術】
【０００２】
固体酸化物形燃料電池（Solid Oxide Fuel Cell（以下、「ＳＯＦＣ」と記す））のような燃料電池を備える発電装置は、ガス等を用いて発電する。このような発電装置では、燃料電池の温度が異常に上昇してしまうことがある。そこで、例えば特許文献１では、燃料電池の温度が異常に上昇した場合、発電装置を停止させている。
【先行技術文献】
【特許文献】
【０００３】
【特許文献１】特開２０１５−１３３２１３号公報
【発明の概要】
【発明が解決しようとする課題】
【０００４】
ところで、発電装置において、発電装置の内部機器は、互いに情報を送受信することがある。また、発電装置は、外部機器と互いに情報を送受信することがある。このような通信において、例えば一時的な不通といった、通信に関する異常が発生することがある。従来の発電装置には、このような通信に関する異常が発生した際の処理について、改善の余地がある。
【０００５】
本開示の目的は、異常が発生した際の処理に関して、改善された、発電装置、制御装置及び制御プログラムを提供することにある。
【課題を解決するための手段】
【０００６】
一実施形態に係る発電装置は、燃料電池と、通信部と、前記通信部によって内部機器又は外部機器と通信可能な制御部と、パワーコンディショナとを備える。前記パワーコンディショナは、前記燃料電池が発電した直流電力の少なくとも一部を交流電力に変換して前記発電装置の外部に供給する。前記制御部は、通信に関する異常が発生したと判定すると、前記パワーコンディショナから前記外部への電力供給を停止させるが、前記燃料電池を発電状態に維持するように制御する。
【０００７】
一実施形態に係る発電装置は、燃料電池と、通信部と、前記通信部によって内部機器又は外部機器と通信可能な制御部と、パワーコンディショナとを備える。前記パワーコンディショナは、前記燃料電池が発電した直流電力の少なくとも一部を交流電力に変換して前記発電装置の外部に供給する。前パワーコンディショナは、前記通信部との間の通信が途絶えたと判定すると、前記パワーコンディショナから前記外部への電力供給を停止させるが、前記燃料電池を発電状態に維持するように制御する。
【０００８】
一実施形態に係る制御装置は、燃料電池と、パワーコンディショナとを備える発電装置を制御する。前記パワーコンディショナは、前記燃料電池が発電した直流電力の少なくとも一部を交流電力に変換して前記発電装置の外部に供給する。前記制御装置は、前記パワーコンディショナとの間の通信が途絶えたと判定すると、前記パワーコンディショナから前記外部への電力供給を停止させるが、前記燃料電池を発電状態に維持するように制御する。
【０００９】
一実施形態に係る制御プログラムは、燃料電池と、パワーコンディショナとを備える発電装置を制御する制御装置の制御プログラムである。前記パワーコンディショナは、前記燃料電池が発電した直流電力の少なくとも一部を交流電力に変換して前記発電装置の外部に供給する。前記制御プログラムは、前記制御装置に、前記パワーコンディショナとの間の通信が途絶えたか否か判定するステップを実行させる。さらに、前記制御プログラムは、前記制御装置に、前記パワーコンディショナとの間の通信が途絶えたと判定すると、前記パワーコンディショナから前記外部への電力供給を停止させるが、前記燃料電池を発電状態に維持するように制御するステップを実行させる。
【発明の効果】
【００１０】
一実施形態によれば、異常が発生した際の処理に関して、改善された、発電装置、制御装置及び制御プログラムを提供することができる。
【図面の簡単な説明】
【００１１】
【図１】本開示の第１実施形態に係る発電装置の構成を概略的に示す機能ブロック図である。
【図２】本開示の第１実施形態に係る発電装置の動作を示すフローチャートである。
【図３】本開示の第２実施形態に係る発電装置の動作を示すフローチャートである。
【図４】本開示の第３実施形態に係る発電装置の構成を概略的に示す機能ブロック図である。
【図５】本開示の第３実施形態に係る発電装置の動作を示すフローチャートである。
【図６】本開示の第１実施形態に係る発電装置の構成の変形例を概略的に示す機能ブロック図である。
【発明を実施するための形態】
【００１２】
以下、本開示の一実施形態について、図面を参照して説明する。まず、本開示の第１実施形態に係る発電装置の構成を説明する。
【００１３】
（第１実施形態）
図１は、本開示の第１実施形態に係る発電装置の構成を概略的に示す機能ブロック図である。図１に示すように、本開示の第１実施形態に係る発電装置１は、貯湯タンク６０と、負荷１００と、商用電源（grid）２００とに接続される。図１に示すように、発電装置１には、外部からガス、水及び酸素含有ガスとしての空気が供給される。発電装置１は、供給されたガス、水及び空気によって発電する。発電装置１は、発電した電力を、負荷１００等に供給する。
【００１４】
図１に示すように、発電装置１は、制御部１０と、通信部１１と、記憶部１２と、燃料電池モジュール２０と、ガス供給部３２と、空気供給部３４と、改質水供給部３６と、パワーコンディショナ４０と、排熱回収処理部５０と、循環水処理部５２とを備える。
【００１５】
発電装置１は、以下にさらに詳細に述べられるように、種々の機能を実行するための制御及び処理能力を提供するために、制御部１０として少なくとも１つのプロセッサを含む。種々の実施形態によれば、少なくとも１つのプロセッサは、単一の集積回路（ＩＣ）として、又は、複数の通信可能に接続された集積回路ＩＣ及びディスクリート回路（discrete circuits）として実現されてもよい。少なくとも１つのプロセッサは、種々の既知の技術に従って実現されることが可能である。
【００１６】
ある実施形態において、プロセッサは、一以上のデータ計算手続及び処理を実行するために構成された、一以上の回路又はユニットを含む。例えば、プロセッサは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００１７】
制御部１０は、通信部１１と、記憶部１２と、燃料電池モジュール２０と、ガス供給部３２と、空気供給部３４と、改質水供給部３６と、パワーコンディショナ４０とに接続され、これらの各機能部をはじめとして発電装置１の全体を制御及び管理する。制御部１０は、記憶部１２に記憶されているプログラムを取得する。制御部１０は、取得したプログラムを実行することにより、発電装置１の各部に係る種々の機能を実現する。
【００１８】
制御部１０は、通信部１１によって、他の内部機器又はリモコン等の外部機器と通信可能である。制御部１０は、通信部１１によって、パワーコンディショナ４０等の内部機器との間で、制御信号又は各種の情報等を送受信する。制御部１０と他の内部機器とは、通信部１１を介して、有線又は無線により接続されてよい。また、制御部１０と外部機器とは、通信部１１を介して、有線又は無線により接続されてよい。
【００１９】
制御部１０は、定期的に、通信部１１によってパワーコンディショナ４０に、応答を要求する旨の要求（以下、「要求」と記す）を送信する。例えば、制御部１０は、１秒毎に、通信部１１によってパワーコンディショナ４０に、要求を送信する。
【００２０】
通信部１１は、他の内部機器又はリモコン等の外部機器との情報の送受信を行うインターフェースである。通信部１１は、有線又は無線を介して、他の内部機器又は外部機器と通信可能である。
【００２１】
記憶部１２は、制御部１０から取得した情報を記憶する。また、記憶部１２は、制御部１０によって実行されるプログラム等も記憶する。その他、記憶部１２は、例えば制御部１０による演算結果等の、各種データも記憶する。以下、記憶部１２は、制御部１０が動作する際のワークメモリ等もさらに含むことができるものとして説明する。記憶部１２は、例えば、半導体メモリ又は磁気ディスク等により構成され得る。しかしながら、これに限定されず、記憶部１２は、任意の記憶装置であってよい。例えば、記憶部１２は、光ディスクのような光学記憶装置であってよいし、光磁気ディスク等であってよい。
【００２２】
燃料電池モジュール２０は、改質器２２と、セルスタック２４とを備える。燃料電池モジュール２０は、セルスタック２４によって発電する。燃料電池モジュール２０は、発電した直流電力を、パワーコンディショナ４０に供給する。燃料電池モジュール２０は、「ホットモジュール」とも呼ばれる。燃料電池モジュール２０において、セルスタック２４は、発電に伴い発熱する。本実施形態において、実際に発電を行うセルスタック２４を、適宜、「燃料電池」と記す。また、本開示において、セルスタック２４を含めた任意の機能部も、適宜、「燃料電池」と総称することがある。例えば、「燃料電池」としては、他に、単体のセル又は燃料電池モジュール等が挙げられる。
【００２３】
改質器２２は、改質水供給部３６から供給された改質水を用いて水蒸気を生成する。さらに、改質器２２は、生成した水蒸気を用いた水蒸気改質により、ガス供給部３２から供給される原燃料ガスを用いて、水素及び／又は一酸化炭素を生成する。改質器２２は、生成した水素及び一酸化炭素をセルスタック２４に供給する。改質器２２がセルスタック２４に供給する水素は、ガス供給部３２が改質器２２に供給する水蒸気改質前の原燃料ガスと区別して、「燃料ガス」とも称される。セルスタック２４は、改質器２２から供給された水素及び／又は一酸化炭素と、空気供給部３４から供給される空気中の酸素とを反応させることにより、発電する。言い換えれば、本実施形態において、燃料電池のセルスタック２４は、電気化学反応により発電する。なお、改質器２２は、前述の水蒸気改質を行う改質器に限定されない。例えば、改質器２２は、酸素を含む空気等を用いて水素を生成する部分酸化改質（Partial Oxidation（ＰＯＸ））を行う改質器であってもよい。
【００２４】
以下、セルスタック２４は、ＳＯＦＣ（固体酸化物形燃料電池）であるものとして説明する。しかしながら、本実施形態に係るセルスタック２４は、ＳＯＦＣに限定されない。本実施形態に係るセルスタック２４は、例えば、固体高分子形燃料電池（Polymer Electrolyte Fuel Cell（ＰＥＦＣ））、リン酸形燃料電池（Phosphoric Acid Fuel Cell（ＰＡＦＣ））及び溶融炭酸塩形燃料電池（Molten Carbonate Fuel Cell（ＭＣＦＣ））等のような燃料電池で構成されてもよい。また、本実施形態において、燃料電池モジュール２０は、例えば、単体で７００Ｗ程度の発電ができるセルスタックを４つ備えてもよい。この場合、燃料電池モジュール２０は、全体として３ｋＷ程度の電力を出力することができる。
【００２５】
本実施形態に係る燃料電池モジュール２０及びセルスタック２４は、上述のような構成に限定されない。種々の構成を、燃料電池モジュール２０及びセルスタック２４に採用することができる。例えば、燃料電池モジュール２０は、セルスタック２４を１つのみ備えてもよい。本実施形態において、発電装置１は、少なくともガスを用いて発電する燃料電池を備えていればよい。従って、例えば、発電装置１は、燃料電池として、セルスタック２４ではなく、単に燃料電池セル１つのみを備えるものであってよい。また、本実施形態に係る燃料電池は、ＰＥＦＣのように、改質器を有しないモジュール（ケース）に含まれる燃料電池であってよい。
【００２６】
ガス供給部３２は、パワーコンディショナ４０の電源４３から供給される電力によって駆動可能である。ガス供給部３２は、燃料電池モジュール２０の改質器２２にガス（原料ガス）を供給する。このとき、ガス供給部３２は、制御部１０からの制御信号に基づいて、改質器２２に供給するガスの量を制御する。本実施形態において、ガス供給部３２は、例えば、ガスラインによって構成されてもよい。また、本実施形態において、ガス供給部３２は、ガスの脱硫処理を行ってもよいし、ガスを予備的に加熱してもよい。ガスを加熱する熱源として、セルスタック２４の排熱が利用されてもよい。ガスは、例えば、都市ガス又はＬＰＧ等であるが、これに限定されない。例えば、ガスは、燃料電池に応じて、天然ガス又は石炭ガス等であってもよい。本実施形態において、ガス供給部３２は、セルスタック２４が発電する際の電気化学反応に用いられるガスを供給する。
【００２７】
空気供給部３４は、パワーコンディショナ４０の電源４３から供給される電力によって駆動可能である。空気供給部３４は、燃料電池モジュール２０のセルスタック２４に、酸素含有ガスとして空気を供給する。このとき、空気供給部３４は、制御部１０からの制御信号に基づいて、セルスタック２４に供給する空気の量を制御する。本実施形態において、空気供給部３４は、例えば、空気ラインによって構成されてもよい。また、空気供給部３４は、外部から取り込んだ空気を予備的に加熱して、セルスタック２４に供給してもよい。本実施形態において、空気供給部３４は、セルスタック２４が発電する際の電気化学反応に用いられる空気を供給する。なお、空気供給部３４は、空気以外の酸素含有ガスをセルスタック２４に供給してもよい。又は、空気供給部３４は、酸素のみをセルスタック２４に供給してもよい。
【００２８】
改質水供給部３６は、パワーコンディショナ４０の電源４３から供給される電力によって駆動可能である。改質水供給部３６は、改質水を、燃料電池モジュール２０の改質器２２に供給する。このとき、改質水供給部３６は、制御部１０からの制御信号に基づいて、改質器２２に供給する改質水の量を制御する。本実施形態において、改質水供給部３６は、例えば、改質水ラインによって構成されてもよい。改質水供給部３６は、セルスタック２４の排気から回収された水を原料として改質水を生成してもよい。改質水を生成する熱源として、セルスタック２４の排熱が利用されてもよい。
【００２９】
パワーコンディショナ４０は、セルスタック２４が発電した直流電力の少なくとも一部を交流電力に変換して発電装置１の外部に供給する。パワーコンディショナ４０から発電装置１の外部に出力される交流電力は、分電盤等を介して、負荷１００に供給される。負荷１００は、分電盤等を介して、パワーコンディショナ４０から出力された電力を受電する。図１では、負荷１００は、１つの部材として図示しているが、負荷を構成する任意の個数の各種電気機器であってよい。また、負荷１００は、分電盤等を介して、商用電源２００から受電することもできる。
【００３０】
パワーコンディショナ４０は、コンバータ４１と、インバータ４２と、電源４３と、制御部４４と、記憶部４５と、通信部４６とを備える。
【００３１】
コンバータ４１は、例えば、ＤＣ−ＤＣコンバータである。コンバータ４１は、燃料電池モジュール２０のセルスタック２４に接続される。コンバータ４１は、セルスタック２４から供給される直流電圧を、所定の直流電圧に変換する。コンバータ４１は、変換後の直流電圧を、インバータ４２に供給する。また、コンバータ４１は、変換後の直流電力の一部を、電源４３に供給することも可能である。
【００３２】
インバータ４２は、コンバータ４１に接続される。インバータ４２は、コンバータ４１から供給される直流電力を、交流電力に変換する。インバータ４２は、変換後の交流電力を、分電盤等を介して、負荷１００等に供給する。なお、インバータ４２は、双方向インバータであってもよい。この場合、インバータ４２は、商用電源２００から供給される交流電力を直流電力に変換してもよい。さらに、インバータ４２は、変換後の直流電力を、電源４３に供給してもよい。
【００３３】
電源４３は、例えば、二次電池である。電源４３は、コンバータ４１を経て、セルスタック２４から供給される電力によって、充電され得る。また、電源４３は、インバータ４２が双方向インバータである場合、インバータ４２を経て、商用電源２００から供給される電力によっても充電され得る。なお、電源４３は、二次電池でなくてもよい。パワーコンディショナ内のコンバータ４１又はインバータ４２には、商用電源２００からの電力又はセルスタックにより発電した電力が供給されてもよい。
【００３４】
電源４３は、充電した電力を放電することによって、発電装置１内の補機の一部に電力を供給する。補機は、燃料電池の周辺機器である。電源４３が電力を供給する補機は、例えば、ガス供給部３２、空気供給部３４、改質水供給部３６及び循環水処理部５２を含む。しかしながら、電源４３が電力を供給する補機は、これらに限定されない。例えば、電源４３が電力を供給する補機は、ガスラインに取り付けられる電磁弁、空気ラインに取り付けられる電磁弁、及び、改質水ラインに取り付けられる電磁弁等を含んでもよい。
【００３５】
制御部４４は、コンバータ４１及びインバータ４２等のパワーコンディショナ４０の各機能ブロックをはじめとして、パワーコンディショナ４０の全体を制御及び管理するプロセッサを含む。制御部４４は、制御手順を規定したプログラム等を実行するＣＰＵ等のプロセッサを含む。このプログラムは、例えば記憶部４５等の記憶媒体に格納される。
【００３６】
制御部４４は、通信部４６によって制御部１０から、制御指示を受信する。制御部４４は、受信した制御指示に従い、コンバータ４１及びインバータ４２を制御する。
【００３７】
制御部４４は、制御部１０から上述の要求を受信すると、受信した要求に対する応答を、通信部４６によって制御部１０に送信する。
【００３８】
記憶部４５は、制御部４４から取得した情報を記憶する。また、記憶部４５は、制御部４４によって実行させるプログラム等も記憶する。その他、記憶部４５は、例えば制御部４４による演算結果等の、各種データも記憶する。以下、記憶部４５は、制御部４４が動作する際のワークメモリ等もさらに含むことができるものとして説明する。記憶部４５は、例えば、半導体メモリ又は磁気ディスク等により構成され得る。しかしながら、これに限定されず、記憶部４５は、任意の記憶装置であってよい。例えば、記憶部４５は、光ディスクのような光学記憶装置であってよいし、光磁気ディスク等であってよい。
【００３９】
通信部４６は、制御部１０との情報の送受信を行うインターフェースである。通信部１４は、有線又は無線を介して、制御部１０と通信可能である。
【００４０】
排熱回収処理部５０は、セルスタック２４の発電により生じる排気から排熱を回収する。排熱回収処理部５０は、例えば、熱交換器等で構成されてよい。排熱回収処理部５０は、循環水処理部５２及び貯湯タンク６０に接続される。
【００４１】
循環水処理部５２は、パワーコンディショナ４０の電源４３から供給される電力によって駆動可能である。循環水処理部５２は、貯湯タンク６０から排熱回収処理部５０へ水を循環させる。排熱回収処理部５０に供給された水は、排熱回収処理部５０で回収された排熱によって加熱され、貯湯タンク６０に戻る。排熱回収処理部５０は、排熱を回収した排気を外部に排出する。また、上述のように、排熱回収処理部で回収された熱は、ガス、空気又は改質水の加熱等に用いることができる。
【００４２】
貯湯タンク６０は、排熱回収処理部５０及び循環水処理部５２に接続される。貯湯タンク６０は、セルスタック２４等から回収された排熱を利用して生成した湯を、貯えることができる。
【００４３】
次に、制御部１０の動作について説明する。
【００４４】
制御部１０は、通信に関する異常が発生したか否か判定する。第１実施形態では、制御部１０は、通信に関する異常が発生したか否かの判定として、パワーコンディショナ４０との間の通信が途絶えたか否か判定する。
【００４５】
具体的には、制御部１０は、通信部１１によってパワーコンディショナ４０に、上述の要求を定期的に送信する。制御部１０は、定期的に送信する要求に対して、パワーコンディショナ４０からの応答が所定回数連続してないとき、パワーコンディショナ４０との間の通信が途絶えたと判定する。例えば、制御部１０は、定期的に送信する要求に対して、パワーコンディショナ４０からの応答が１０回連続してないとき、パワーコンディショナ４０との間の通信が途絶えたと判定する。
【００４６】
制御部１０は、パワーコンディショナ４０との間の通信が途絶えたと判定すると、すなわち、通信に関する異常が発生したと判定すると、発電装置１をアイドリングモードで運転させる。アイドリングモードとは、発電装置１の外部への電力供給は停止させるが、発電装置１における発電は維持させるモードである。アイドリングモードにおいて、制御部１０は、パワーコンディショナ４０から発電装置１の外部への電力供給を停止させるが、セルスタック２４を発電状態に維持するよう制御する。
【００４７】
具体的には、アイドリングモードにおいて、制御部１０は、通信部１１によってパワーコンディショナ４０に、インバータ４２を停止させる旨の制御指示を送信する。この制御指示は、制御部１０が通信部１１によってパワーコンディショナ４０に要求を送信する通信経路とは異なる通信経路を経て、パワーコンディショナ４０に送信されてよい。例えば、通信部１１とパワーコンディショナ４０とが複数の通信ケーブルで接続されている場合、この制御指示は、要求が送信される通信ケーブルとは異なる通信ケーブルを経て、パワーコンディショナ４０に送信されてよい。
【００４８】
また、アイドリングモードにおいて、制御部１０は、コンバータ４１を停止させずに駆動させ続ける。コンバータ４１を駆動させ続けることで、アイドリングモード中も、セルスタック２４に電力負荷が加わり、セルスタック２４は、発電状態を維持し得る。
【００４９】
このように本実施形態では、アイドリングモード中も、セルスタック２４は、発電状態を維持し得る。そこで、制御部１０は、アイドリングモード中も、補機の一部を、セルスタック２４が発電した電力によって駆動させ続けてよい。すなわち、制御部１０は、通信に関する異常が発生したと判定したときも、補機の一部を、セルスタック２４が発電した電力によって駆動させ続けてよい。ここで、上述のように、アイドリングモードでは、制御部１０は、インバータ４２を停止させる。そのため、制御部１０は、コンバータ４１のスイッチング素子のデューティ比を下げて、セルスタック２４からコンバータ４１に供給される電力が、コンバータ４１から電源４３を介して補機に供給される電力に相当し得るよう制御してよい。この場合、制御部１０は、通信部１１によってパワーコンディショナ４０に、コンバータ４１のスイッチング素子のデューティ比を下げる旨の制御指示を送信する。この制御指示は、上述と同様に、制御部１０が通信部１１によってパワーコンディショナ４０に要求を送信する通信経路とは異なる通信経路を経て、パワーコンディショナ４０に送信されてよい。なお、セルスタック２４が発電した電力によって駆動し得る補機は、例えば、電源４３からの電力によって駆動可能な補機が含まれる。例えば、セルスタック２４が発電した電力によって駆動し得る補機は、ガス供給部３２、空気供給部３４、改質水供給部３６及び循環水処理部５２を含む。
【００５０】
制御部１０は、発電装置１をアイドリングモードで運転させている間、通信に関する異常が解消したか否か判定する。第１実施形態では、制御部１０は、通信に関する異常が解消したか否かの判定として、パワーコンディショナ４０との間の通信が回復したか否か判定する。具体的には、制御部１０は、発電装置１をアイドリングモードで運転させている間も、通信部１１によってパワーコンディショナ４０に、上述の要求を定期的に送信する。制御部１０は、定期的に送信する要求に対して、通信部１１によってパワーコンディショナ４０から応答を所定回数連続して受信したとき、パワーコンディショナ４０との間の通信が回復したと判定する。例えば、制御部１０は、通信部１１によってパワーコンディショナ４０から応答を１０回連続して受信したとき、パワーコンディショナ４０との間の通信が回復したと判定する。
【００５１】
制御部１０は、発電装置１をアイドリングモードに移行させてから所定時間経過する前に、パワーコンディショナ４０との間の通信が回復したとき、発電装置１のアイドリングモードを解除する。すなわち、制御部１０は、所定時間経過する前に通信に関する異常が解消したとき、発電装置１のアイドリングモードを解除する。第１実施形態では、所定時間は、要求が送信される頻度に基づいて設定され得る。所定時間は、例えば１秒毎に要求が送信される場合、６０秒程度であってよい。制御部１０は、発電装置１のアイドリングモードを解除すると、発電装置１を通常モードで運転させる。通常モードでは、制御部１０は、通信部１１によってパワーコンディショナ４０に、インバータ４２を動作させる旨の制御指示を送信する。このような制御によって、パワーコンディショナ４０から発電装置１の外部への電力供給は再開され得る。
【００５２】
一方、制御部１０は、発電装置１をアイドリングモードに移行させてから所定時間内に、パワーコンディショナ４０との間の通信が回復したと判定しないとき、発電装置１をアイドリングモードから停止モードに移行させる。すなわち、制御部１０は、当該所定時間内に通信に関する異常が解消されないとき、発電装置１をアイドリングモードから停止モードに移行させる。停止モードでは、制御部１０は、セルスタック２４の発電を停止させる。
【００５３】
図２は、本開示の第１実施形態に係る発電装置１の動作を示すフローチャートである。
【００５４】
制御部１０は、通信部１１によってパワーコンディショナ４０に、上述の要求を送信する（ステップＳ１０）。制御部１０は、送信した要求に対する応答を、通信部１１によってパワーコンディショナ４０から受信したか否か判定する（ステップＳ１１）。制御部１０は、パワーコンディショナ４０から応答を受信したと判定したとき（ステップＳ１１：Ｙｅｓ）、ステップ１０の処理に戻る。一方、制御部１０は、パワーコンディショナ４０から応答を受信しないと判定したとき（ステップＳ１１：Ｎｏ）、ステップＳ１２の処理に進む。
【００５５】
ステップＳ１２の処理では、制御部１０は、ステップＳ１１の処理におけるパワーコンディショナ４０から応答を受信しないとの判定結果が、所定回数連続して出力されているか否か判定する。制御部１０は、当該判定結果が所定回数連続して出力されていると判定したとき（ステップＳ１２：Ｙｅｓ）、ステップＳ１３の処理に進む。一方、制御部１０は、当該判定結果が所定回数連続して出力されていないと判定したとき（ステップＳ１２：Ｎｏ）、ステップＳ１０の処理に戻る。
【００５６】
ステップＳ１３の処理では、制御部１０は、パワーコンディショナ４０との間の通信が途絶えたと判定する。このように、制御部１０は、ステップＳ１０の処理により定期的に送信する要求に対して、パワーコンディショナ４０からの応答が所定回数連続してないとき、パワーコンディショナ４０との間の通信が途絶えたと判定する。ステップＳ１４の処理では、制御部１０は、発電装置１をアイドリングモードに移行させる。
【００５７】
ステップＳ１５の処理では、制御部１０は、パワーコンディショナ４０との間の通信が回復したか否か判定する。制御部１０は、パワーコンディショナ４０との間の通信が回復したと判定したとき（ステップＳ１５：Ｙｅｓ）、ステップＳ１６の処理に進む。一方、制御部１０は、パワーコンディショナ４０との間の通信が回復したと判定しないとき（ステップＳ１５：Ｎｏ）、ステップＳ１７の処理に進む。
【００５８】
ステップＳ１６の処理では、制御部１０は、発電装置１のアイドリングモードを解除して、発電装置１を通常モードで運転させる。このように、制御部１０は、発電装置１をアイドリングモードに移行させてから所定時間経過する前に、パワーコンディショナ４０との間の通信が回復したと判定したとき、発電装置１のアイドリングモードを解除する。
【００５９】
ステップＳ１７の処理では、制御部１０は、発電装置１をアイドリングモードに移行させてから所定時間経過したか否か判定する。制御部１０は、所定時間経過したと判定したとき（ステップＳ１７：Ｙｅｓ）、ステップＳ１８の処理に進む。一方、制御部１０は、所定時間経過したと判定しないとき（ステップＳ１７：Ｎｏ）、ステップＳ１５の処理に戻る。
【００６０】
ステップＳ１８の処理では、制御部１０は、発電装置１を停止モードに移行させる。停止モードでは、制御部１０は、セルスタック２４の発電を停止させる。このように、制御部１０は、上述の所定時間内にパワーコンディショナ４０との通信が回復しないと、セルスタック２４の発電を停止させる。
【００６１】
以上のように、第１実施形態に係る発電装置１では、制御部１０は、パワーコンディショナ４０との間の通信が途絶えたと判定したとき、発電装置１をアイドリングモードで運転させる。アイドリングモードでは、制御部１０は、パワーコンディショナ４０から発電装置１の外部への電力供給を停止させ、セルスタック２４を発電状態に維持する。パワーコンディショナ４０から外部への電力供給を停止させることで、セルスタック２４が発電する電力を低減させることができる。このように通信に関する異常が発生したときに、セルスタック２４が発電する電力を低減させることで、本実施形態に係る発電装置１は、安全性に優れたものとなり得る。従って、本実施形態によれば、異常が発生した際の処理に関して、改善された、発電装置１が提供され得る。
【００６２】
さらに、第１実施形態に係る発電装置１では、制御部１０は、アイドリングモード中、補機の一部を、セルスタック２４が発電した電力によって駆動させ続けることができる。すなわち、本実施形態では、制御部１０は、通信に関する異常が発生したと判定したときも、補機の一部を、セルスタック２４が発電した電力によって駆動させ続けることができる。このような制御によって、本実施形態に係る発電装置１は、ガスを有効に利用することができる。
【００６３】
ここで、比較例として、通信に関する異常が発生したときに、燃料電池の発電を停止させる場合を想定する。ＳＯＦＣのような高温で動作する燃料電池を備える発電装置は、発電を停止した後に発電を再開する場合、燃料電池の温度を発電可能な温度にまで上昇させる必要がある。そのため、発電装置は、発電を停止すると、発電を再開するまでに長い時間を要することがある。さらに、通信に関する異常は、一時的な不通等の異常が多い。そのため、通信に関する異常は、速やかに解消する場合が多い。従って、発電装置において、通信に異常が発生したときに発電を停止させると、通信に関する異常が速やかに解消しても、速やかに発電を再開させることが困難になること想定される。速やかに発電を再開できないと、速やかに発電装置から外部への電力供給を再開すること困難になると想定される。
【００６４】
これに対し、本実施形態に係る発電装置１では、制御部１０は、通信に関する異常が発生したと判定すると、発電装置１をアイドリングモードで運転させて、セルスタック２４を発電状態に維持させる。このような制御よって、通信に関する異常が速やかに回復した場合、アイドリングモードを解除することで、本実施形態に係る発電装置１は、速やかに通常モードに移行することが可能になる。つまり、本実施形態に係る発電装置１は、速やかに、パワーコンディショナ４０から発電装置１の外部への電力供給を再開することが可能になる。従って、本実施形態によれば、ユーザの利便性に優れた発電装置１が提供され得る。
【００６５】
また、第１実施形態に係る発電装置１では、制御部１０は、上述の所定時間内にパワーコンディショナ４０との間の通信が回復しないとき、発電装置１を停止モードに移行させる。すなわち、本実施形態に係る発電装置１では、制御部１０は、上述の所定時間内に通信に関する異常が解消されないとき、発電装置１を停止モードに移行させる。通信に関する異常において、所定時間内に解消されない異常は、通信ケーブルの断線等といった、重度の異常である場合が多い。このような制御によって、発電装置１は、重度の通信に関する異常が発生しても、所定時間後に、発電を停止することができる。従って、本実施形態に係る発電装置１は、安全性に優れたものとなり得る。
【００６６】
（第２実施形態）
次に、第２実施形態に係る発電装置について説明する。第２実施形態に係る発電装置は、第１実施形態に係る発電装置１と同様の構成を採用することができる。従って、以下では、図１を参照しつつ、第１実施形態との相違点を中心に説明する。
【００６７】
第２実施形態でも、第１実施形態と同様に、制御部１０は、通信に関する異常が発生したか否かの判定として、パワーコンディショナ４０との通信が途絶えたか否か判定する。しかしながら、第２実施形態と第１実施形態とは、パワーコンディショナ４０との通信が途絶えたか否かの判定処理が異なる。以下、詳細に説明する。
【００６８】
パワーコンディショナ４０の制御部４４は、所定情報を、通信部４６によって制御部１０に定期的に送信する。所定情報は、例えば、パワーコンディショナ４０内の電流センサによって測定された電流値等の情報である。例えば、制御部４４は、２ミリ秒毎に、所定情報を、通信部４６によって制御部１０に送信する。
【００６９】
第２実施形態では、制御部１０は、第１時間内に、通信部１１によってパワーコンディショナ４０から所定情報を受信しないとき、パワーコンディショナ４０との通信が途絶えたと判定する。第１時間は、パワーコンディショナ４０が所定情報を送信する頻度に基づいて設定され得る。第１時間は、例えばパワーコンディショナ４０が２ミリ秒毎に所定情報を送信する場合、１００ミリ秒程度であってよい。
【００７０】
制御部１０は、パワーコンディショナ４０との間の通信が途絶えたと判定すると、第１実施形態と同様に、発電装置１をアイドリングモードで運転させる。
【００７１】
制御部１０は、第２実施形態でも第１実施形態と同様に、発電装置１をアイドリングモードで運転させている間、パワーコンディショナ４０との間の通信が回復したか否か判定する。第２実施形態では、制御部１０は、パワーコンディショナ４０から所定情報を受信したとき、パワーコンディショナ４０との間の通信が回復したと判定する。
【００７２】
制御部１０は、発電装置１をアイドリングモードに移行させてから所定時間が経過する前に、通信部１１によってパワーコンディショナ４０から所定情報を受信したとき、発電装置１のアイドリングモードを解除する。第２実施形態では、所定時間は、一時的な不通が回復し得る時間を想定して設定され得る。第２実施形態では、例えば、１５分程度であってよい。
【００７３】
一方、制御部１０は、発電装置１をアイドリングモードに移行させてから所定時間内に、パワーコンディショナ４０から所定情報を受信しないとき、発電装置１をアイドリングモードから停止モードに移行させる。停止モードでは、制御部１０は、セルスタック２４の発電を停止させる。
【００７４】
図３は、本開示の第２実施形態に係る発電装置１の動作を示すフローチャートである。
【００７５】
制御部１０は、第１時間内に、通信部１１によってパワーコンディショナ４０から所定情報を受信したか否か判定する（ステップＳ２０）。制御部１０は、第１時間内に、パワーコンディショナ４０から所定情報を受信したと判定したとき、（ステップＳ２０：Ｙｅｓ）、再びステップＳ２０の処理を行う。一方、制御部１０は、第１時間内に、パワーコンディショナ４０から所定情報を受信しないと判定したとき（ステップＳ２０：Ｎｏ）、ステップＳ２１の処理に進む。
【００７６】
制御部１０は、ステップＳ２１，Ｓ２２の処理を、図２に示すステップＳ１３，Ｓ１４の処理と同様にして、実行する。
【００７７】
ステップＳ２３の処理では、制御部１０は、パワーコンディショナ４０との間の通信が回復したか否か判定する。第２実施形態では、ステップＳ２３の処理において、制御部１０は、通信部１１によってパワーコンディショナ４０から所定情報を受信したか否か判定する。制御部１０は、通信部１１によってパワーコンディショナ４０から所定情報を受信したと判定したとき（ステップＳ２３：Ｙｅｓ）、ステップＳ２４の処理に進む。一方、制御部１０は、通信部１１によってパワーコンディショナ４０から所定情報を受信しないと判定したとき（ステップＳ２３：Ｎｏ）、ステップＳ２５の処理に進む。
【００７８】
制御部１０は、ステップＳ２４，Ｓ２５，Ｓ２６の処理を、図１に示すステップＳ１６，Ｓ１７，Ｓ１８の処理と同様にして、実行する。
【００７９】
以上のように、第２実施形態に係る発電装置１では、制御部１０は、第１時間内に、通信部１１によってパワーコンディショナ４０から所定情報を受信しないとき、パワーコンディショナ４０との間の通信が途絶えたと判定する。さらに、制御部１０は、パワーコンディショナ４０との間の通信が途絶えたと判定すると、発電装置１をアイドリングモードで運転させる。発電装置１をアイドリングモードで運転させることによって、第１実施形態にて説明したように、セルスタック２４が発電する電力を低減させることができる。このような制御によって、第１実施形態にて説明したように、本実施形態に係る発電装置１は、安全性に優れたものとなり得る。従って、本実施形態によれば、異常が発生した際の処理に関して、改善された、発電装置１が提供され得る。
【００８０】
第２実施形態に係る発電装置１において、その他の効果及び制御は、第１実施形態に係る発電装置１と同様である。
【００８１】
（第３実施形態）
次に、第３実施形態に係る発電装置について説明する。以下では、第１実施形態との相違点を中心に説明する。
【００８２】
第３実施形態と第１実施形態とでは、通信に関する異常の内容が異なる。第３実施形態では、通信に関する異常の内容は、発電装置と外部機器との間の通信が途絶えることである。
【００８３】
図４は、本開示の第３実施形態に係る発電装置１の構成を概略的に示す機能ブロック図である。なお、図４に示す構成要素において、図１に示す構成要素と同一のものは、同一符号を付してその説明を省略する。
【００８４】
第３実施形態に係る発電装置１は、有線又は無線により、外部のリモコン７０と接続される。リモコン７０は、ユーザが発電装置１を外部から操作するための機器である。リモコン７０は、例えば、発電装置１を利用するユーザの宅内に設置される。
【００８５】
リモコン７０は、ユーザの操作入力を受け付ける。リモコン７０は、ユーザの操作入力に基づいて、制御指示を、発電装置１送信する。また、リモコン７０は、発電装置１に、応答を要求する旨の要求（要求）を定期的に送信する。例えば、リモコン７０は、１秒毎に、発電装置１に要求を送信する。
【００８６】
第３実施形態では、制御部１０は、通信に関する異常が発生したか否かの判定として、外部機器との通信が途絶えたと判定か否か判定する。以下では、外部機器はリモコン７０であるものとする。しかしながら、外部機器は、リモコン７０に限定されない。例えば、外部機器は、発電装置１にファームウェアを提供するサーバ等であってもよい。
【００８７】
制御部１０は、外部のリモコン７０との通信が途絶えたか否か判定する。具体的には、制御部１０は、第２時間以内に、通信部１１によって外部のリモコン７０から要求を受信しないとき、外部のリモコン７０との通信が途絶えたと判定する。
【００８８】
第２時間は、リモコン７０の交換に要する時間を考慮して設定され得る。リモコン７０は、例えば、メンテナンス業者によって交換されることがある。メンテナンス業者は、例えば、発電装置１をメンテナンスする場合、リモコン７０を、通常用のリモコンからメンテナンス用のリモコンに、交換する。例えば、第２時間は、１０分間程度であってよい。
【００８９】
制御部１０は、第２時間以内に通信部１１によって外部のリモコン７０から要求を受信しないとき、すなわち、外部のリモコン７０との通信が途絶えたと判定したとき、発電装置１をアイドリングモードで運転させる。
【００９０】
制御部１０は、発電装置１をアイドリングモードで運転させている間、外部のリモコン７０との通信が回復したか否か判定する。具体的には、制御部１０は、通信部１１によって外部のリモコン７０から要求を受信したとき、外部のリモコン７０との通信が回復したと判定する。なお、制御部１０は、外部のリモコン７０から、所定回数連続して要求を受信したとき、外部のリモコン７０との通信が回復したと判定してもよい。例えば、制御部１０は、外部のリモコン７０から、１０回連続して要求を受信したとき、外部のリモコン７０との通信が回復したと判定してもよい。
【００９１】
制御部１０は、発電装置１をアイドリングモードで運転させてから所定時間が経過する前に、外部のリモコン７０との通信が回復したと判定したとき、発電装置１のアイドリングモードを解除する。すなわち、制御部１０は、通信に関する異常が解消したと判定したとき、発電装置１のアイドリングモードを解除する。第３実施形態では、所定時間は、上述の第１時間と、リモコン７０が発電装置１に要求を送信する頻度とに基づいて設定され得る。所定時間は、例えば、１５分間であってよい。
【００９２】
一方、制御部１０は、発電装置１をアイドリングモードで運転させてから所定時間内に、外部のリモコン７０との通信が回復したと判定しないとき、発電装置１をアイドリングモードから停止モードに移行させる。すなわち、制御部は、当該所定時間内に、通信に関する異常が解消したと判定しないとき、発電装置１をアイドリングモードから停止モードに移行させる。停止モードでは、制御部１０は、セルスタック２４の発電を停止させる。
【００９３】
図５は、本開示の第３実施形態に係る発電装置１の動作を示すフローチャートである。
【００９４】
制御部１０は、第２時間内に、通信部１１によって外部のリモコン７０から要求を受信したか否か判定する（ステップＳ３０）。制御部１０は、第２時間内に、外部のリモコン７０から要求を受信したと判定したとき（ステップＳ３０：Ｙｅｓ）、再びステップＳ３０の処理を行う。一方、制御部１０は、第２時間内に、外部のリモコン７０から要求を受信しないと判定したとき（ステップＳ３０：Ｎｏ）、ステップＳ３１の処理に進む。
【００９５】
制御部１０は、ステップＳ３１，Ｓ３２の処理を、図２に示すステップＳ１３，Ｓ１４の処理と同様にして、実行する。
【００９６】
ステップＳ３３の処理では、制御部１０は、外部のリモコン７０との間の通信が回復したか否か判定する。制御部１０は、外部のリモコン７０との間の通信が回復したと判定したとき（ステップＳ３３：Ｙｅｓ）、ステップＳ３４の処理に進む。一方、制御部１０は、外部のリモコン７０との間の通信が回復しないと判定したとき（ステップＳ３３：Ｎｏ）、ステップＳ３５の処理に進む。
【００９７】
制御部１０は、ステップＳ３４，Ｓ３５，Ｓ３６の処理を、図１に示すＳ１６，Ｓ１７，Ｓ１８の処理と同様にして、実行する。
【００９８】
以上のように、第３実施形態に係る発電装置１では、制御部１０は、外部のリモコン７０との通信が途絶えたと判定したとき、発電装置１をアイドリングモードで運転させる。発電装置１をアイドリングモードで運転させることによって、第１実施形態にて説明したように、セルスタック２４が発電する電力を低減させることができる。このような制御によって、第１実施形態にて説明したように、本実施形態に係る発電装置１は、安全性に優れたものとなり得る。従って、本実施形態によれば、異常が発生した際の処理に関して、改善された、発電装置１が提供され得る。
【００９９】
ここで、比較例として、外部のリモコンとの間の通信が途絶えたときに、燃料電池の発電を停止させる場合を想定する。第１実施形態にて説明したように、発電装置は、発電を停止すると、発電を再開するまでに長い時間を要することがある。また、上述のように、リモコンは、発電装置をメンテナンスする場合、通常用のリモコンからメンテナンス用のリモコンに交換されることがある。発電装置とリモコンとの間の通信は、リモコンを交換している間、途絶えてしまう。従って、比較例に係る発電装置は、リモコンを交換するときも、燃料電池の発電を停止させてしまうと想定される。このような場合、メンテナンスに要する時間が長くなってしまう事態が生じ得る。
【０１００】
これに対し、第３実施形態に係る発電装置１では、制御部１０は、外部のリモコン７０との通信が途絶えたと判定すると、発電装置１をアイドリングモードで運転させて、セルスタック２４を発電状態に維持させる。このような制御によって、上述のようなメンテナンスに要する時間が長くなってしまうといった事態を防ぐことができる。
【０１０１】
また、第３実施形態に係る発電装置１では、制御部１０は、上述の所定時間内に、外部のリモコン７０との通信が回復しないと判定したとき、発電装置１を停止モードに移行させる。このような制御によって、例えばリモコン７０と発電装置１とを接続する通信ケーブルの切断といった、重度の通信に関する異常が発生しても、所定時間後に、発電を停止することができる。従って、本実施形態に係る発電装置１は、安全性に優れたものとなり得る。
【０１０２】
第３実施形態に係る発電装置１において、その他の効果及び制御は、第１実施形態に係る発電装置１と同様である。
【０１０３】
本開示を諸図面及び実施例に基づき説明してきたが、当業者であれば本開示に基づき種々の変形および修正を行うことが容易であることに注意されたい。従って、これらの変形及び修正は本発明の範囲に含まれることに留意されたい。例えば、各機能部、各手段、各ステップ等に含まれる機能等は論理的に矛盾しないように再配置可能であり、複数の機能部及びステップ等を１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【０１０４】
例えば、上述の第１実施形態では、制御部１０が、パワーコンディショナ４０との間の通信が途絶えたと判定すると、発電装置１をアイドリングモードで運転させる例を説明した。しかしながら、パワーコンディショナ４０が、制御部１０との間の通信が途絶えたと判定すると、発電装置１をアイドリングモードで運転させてもよい。この場合、制御部４４は、第３時間内に、通信部４６によって制御部１０から、要求を受信しないとき、発電装置１をアイドリングモードで運転させる。第３時間は、例えば、制御部１０が要求をパワーコンディショナ４０に送信する頻度に基づいて設定され得る。第３時間は、例えば制御部１０が１秒毎に要求を送信する場合、１０秒間程度である。アイドリングモードにおいて、制御部４４は、インバータ４２を停止させる。さらに、アイドリングモードにおいて、制御部４４は、第１実施形態にて説明したように、コンバータ４１を停止させずに駆動させ続けることで、セルスタック２４を発電状態に維持させる。加えて、制御部４４は、第１実施形態と同様に、コンバータ４１のスイッチング素子のデューティ比を下げて、セルスタック２４からコンバータ４１に供給される電力が、コンバータ４１から電源４３を介して補機に供給される電力に相当し得るよう制御してよい。このような制御によって、第１実施形態と同様に、アイドリングモード中も、補機の一部は、セルスタック２４が発電した電力によって駆動し続けることができる。また、制御部４４は、発電装置１をアイドリングモードに移行させてから所定時間経過する前に、制御部１０との間の通信が回復したと判定したとき、アイドリングモードを解除してもよい。例えば、制御部４４は、通信部４６によって制御部１０から所定回数連続して受信したとき、制御部１０との間の通信が回復したと判定してもよい。また、制御部４４は、発電装置１をアイドリングモードに移行させてから所定時間内に、制御部１０との間の通信が回復したと判定しないとき、発電装置１をアイドリングモードから停止モードに移行させてもよい。
【０１０５】
例えば、本開示の実施形態は、燃料電池を備えずに、燃料電池を外部から制御する、制御装置として実現することもできる。このような実施形態の一例を、図６に示す。図６に示すように、本実施形態に係る制御装置２は、例えば、制御部１０と、通信部１１と、記憶部１２とを含んで構成される。制御装置２は、燃料電池を備える外部の発電装置１を制御する。すなわち、本実施形態に係る制御装置２は、パワーコンディショナ４０との間の通信に関する異常が発生したと判定すると、パワーコンディショナ４０から発電装置１の外部への電力供給を停止させるが、セルスタック２４を発電状態に維持するように制御する。
【０１０６】
さらに、本開示の実施形態は、例えば、上述したような制御装置２に実行させる制御プログラムとして実現することもできる。すなわち、本実施形態に係る制御プログラムは、制御装置２に、パワーコンディショナ４０との間の通信が途絶えたか否か判定するステップを実行させる。さらに、当該制御プログラムは、制御装置２に、パワーコンディショナ４０との間の通信が途絶えたと判定すると、パワーコンディショナ４０から発電装置１の外部への電力供給を停止させるが、セルスタック２４を発電状態に維持するように制御するステップを実行させる。
【０１０７】
上述では、アイドリングモードにおいて、制御部１０は、通信部１１によってパワーコンディショナ４０に、インバータ４２を停止させる旨の制御指示を送信していた。しかしながら、本開示は、この内容に限定されない。例えば、アイドリングモードにおいて、制御部１０は、通信部１１によってパワーコンディショナ４０の制御部４４に、外部との連系リレーを切るよう指示し、制御部４４が連系リレーを切るように制御してもよい。
【符号の説明】
【０１０８】
１  発電装置
２  制御装置
１０  制御部
１１  通信部
１２  記憶部
２０  燃料電池モジュール
２２  改質器
２４  セルスタック
３２  ガス供給部
３４  空気供給部
３６  改質水供給部
４０  パワーコンディショナ
４１  コンバータ
４２  インバータ
４３  電源
４４  制御部
４５  記憶部
４６  通信部
５０  排熱回収処理部
５２  循環水処理部
６０  貯湯タンク
７０  リモコン
１００  負荷
２００  商用電源
【図１】
2019046572.tif 000003
【図２】
2019046572.tif 000004
【図３】
2019046572.tif 000005
【図４】
2019046572.tif 000006
【図５】
2019046572.tif 000007
【図６】
2019046572.tif 000008